(57)【特許請求の範囲】
【請求項１】
エアゾール容器の押圧ヘッドを格納するエアゾール容器用オーバーキャップであって、
前記オーバーキャップは、押圧ヘッドを露出させる貫通孔を有し、エアゾール容器に着脱可能に係止されるベースと、このベースに着脱可能に保持され、ベースと協働してその内側に押圧ヘッドを収納するキャップ本体からなり、
前記ベースに、オーバーキャップを最初に装着する際、エアゾール容器に形成された前記ベースとの係合部に接触して押圧ヘッドに向かって塑性変形し、その先端部分が、オーバーキャップを取り外して再度装着を行う時に、押圧ヘッドの外周壁に設けた環状のリブに当接して当該押圧ヘッドを押し下げる舌片を設けたことを特徴とする、エアゾール容器用オーバーキャップ。
【発明の詳細な説明】
【技術分野】
【０００１】
本発明は、エアゾール容器に残留する圧縮ガスを排出する機能を兼ね備えたエアゾール容器用オーバーキャップに関するものである。
【背景技術】
【０００２】
エアゾール容器内の残留ガスを抜くための従来の手段としては、エアゾール容器の肩部に装着した肩カバーと一体に係止片を設け、この係止片を押圧ヘッドの上部に乗り上げる位置まで塑性変形させることにより、押圧ヘッドの下向き状態を維持するものがある（例えば、特許文献１参照。）。
【特許文献１】特開２００２−６８３３９号公報
【発明の開示】
【発明が解決しようとする課題】
【０００３】
しかしながら、かかる従来手段では、使用者が手を使って直接係止片を押圧ヘッドに向けて塑性変形させなければならないため、指等が押圧ヘッドの噴射口に触れて手が汚れてしまう可能性がある。このため、手を汚さないでガス抜きを行うためには、相応の注意を払わなければならないため、ガス抜きを行うに至るまで操作が煩雑である。
【０００４】
本発明が解決しようとする課題は、ガス抜きを行う際に手が汚れることと、それによりガス抜きを行うための操作が煩雑になることである。
【課題を解決するための手段】
【０００５】
本発明は、エアゾール容器の押圧ヘッドを格納するエアゾール容器用オーバーキャップであって、前記オーバーキャップは、押圧ヘッドを露出させる貫通孔を有し、エアゾール容器に着脱可能に係止されるベースと、このベースに着脱可能に保持され、ベースと協働してその内側に押圧ヘッドを収納するキャップ本体からなり、前記ベースに、オーバーキャップを最初に装着する際、エアゾール容器に形成された前記ベースとの係合部に接触して押圧ヘッドに向かって塑性変形し、その先端部分が、オーバーキャップを取り外して再度装着を行う時に、押圧ヘッドの外周壁に設けた環状のリブに当接して当該押圧ヘッドを押し下げる舌片を設けたことを特徴とするものである。
【発明の効果】
【０００６】
本発明によれば、製品出荷時にオーバーキャップを取り付けるだけでガス抜きの準備が完了し、オーバーキャップを取り外して再度装着すれば、そのまま押圧ヘッドを押し下げることができる。従って、使用者は手を汚すことなく、オーバーキャップを着脱するだけの簡単な作業でガス抜きをすることができる。
【発明を実施するための最良の形態】
【０００７】
以下、図面を参照して、本発明の一形態を詳細に説明する。
【０００８】
符号1は、内容物と共に圧縮ガスが充填されたエアゾール容器である。エアゾール容器1は、その肩部1aに環状のマウントカップ2が取り付けられており、マウントカップ2の取り付け部分が環状の巻き締め部となり、この巻き締め部が係合部2aを構成する。係合部2aに取り囲まれた部分には、エアゾール用容器内の図示せぬバルブに繋がるステム3が露出している。
【０００９】
ステム3は、エアゾール容器の長手方向軸線に沿って上下動可能で、その先端には、ステム3を経てエアゾール容器1内に通じる押圧ヘッド4が取り付けられている。これにより、使用者が押圧ヘッド4を押し下げると、押圧ヘッド4の噴射口4aから圧縮ガスと共に内容物が噴射される。また、押圧ヘッド4の外周壁には、その周方向に沿って延在し外向きに突出する環状のリブ4bが設けられている。
【００１０】
符号5は、押圧ヘッド4を環状のマウントカップ2と共に格納するエアゾール容器用オーバーキャップである。符号51は、エアゾール容器1の肩部1aを取り囲む周壁52と、この周壁52に繋がり押圧ヘッド4を露出させる貫通孔53を有する仕切壁54とを備えるベースである。ベース51は、塑性変形可能な合成樹脂からなる。
【００１１】
仕切壁54には、その裏面から貫通孔53に沿って環状に垂下してなり、その先端部分55aが、係合部2aの外側に着脱可能に係止される環状の係止部55を一体に設けられている。これにより、ベース51は、エアゾール容器1の肩カバーとして着脱可能に装着される。なお、係止部55は、着脱操作における適切な嵌合強度を付与することから、環状の係合部2aに沿って間欠に設けたり、先端部分55aの肉厚を調整する等といった手段を適用することもできる。
【００１２】
また、仕切壁54には、貫通孔53と環状の係止部55との間に、その裏面から垂下してなる３つの舌片56が一体に設けられている。３つの舌片56はそれぞれ、ベース51をエアゾール容器1に装着する際、その先端部分56aが、係合部2aに接触して押圧ヘッド4に向かって内側に滑動する位置に配置される。これにより、ベース51をエアゾール容器1に装着すれば、各舌片56は、その先端部分56が内側に塑性変形する。
【００１３】
符号57は、ベース51に着脱可能に保持され、ベース51と協働してその内側に押圧ヘッド4を収納するキャップ本体である。このキャップ本体57は、ベース51の周壁52に形成された環状の段差部分52aに圧入嵌合によって着脱可能に保持される周壁57aと、この周壁57aと一体に繋がる天壁57bとからなる円筒形状である。なお、ベース51の外観形状は、円筒形状に限らず、ドーム形状等であってもよい。
【００１４】
次に、図１〜４を参照して、本発明の作用を説明する。
【００１５】
先ず、製品出荷時には、エアゾール容器1の肩部1aにオーバーキャップ5が装着されている。このとき、ベース51の舌片56は、図２に示すように、その先端部分56aが係合部2aに接触して押圧ヘッド4に向かって内側に塑性変形する。これにより、使用者は、自らの手を汚すことなく、オーバーキャップ5を装着することができる。
【００１６】
内容物を噴射させる場合は、ベース51からキャップ本体57を取り外してベース51をエアゾール容器の肩カバーとして用いながら、押圧ヘッド4を操作して、圧縮ガスと共に内容物を噴射口4aから噴射させる。
【００１７】
エアゾール容器1を廃棄する場合は、先ず、図３に示したように、一度オーバーキャップ5をエアゾール容器1から取り外す。このとき、各舌片56の先端部分56aは、押圧ヘッド4に設けたリブ4bの下側に潜り込むように形成されているため、リブ4bに引っ掛かることなく、同図に示すように、押圧ヘッド4に向かって塑性変形した状態を維持している。
【００１８】
次に、オーバーキャップ5を再度、エアゾール容器1に装着する。このとき、舌片56の先端部分56aは、押圧ヘッド4のリブ4bに当接して押圧ヘッド4を押し下げ、係止部55によりエアゾール容器1の肩部1aに係止されると、押圧ヘッド4の押し下げ状態を維持し、残留した圧縮ガスを収納空間Ｒ内に噴射させる。これにより、使用者は、自らの手を汚すことなく、エアゾール容器のガス抜きを行うことができる。
【００１９】
なお、舌片56は、貫通孔53に沿って均等な間隔で少なくとも３つ配置すれば、押圧ヘッド4を安定した状態で押し下げることができるが、舌片56の全長を変更してその先端部分56aの塑性変形量を変更させれば、少なくとも１つであってもよい。
【００２０】
収納空間Ｒ内に噴射される圧縮ガスは、キャップ本体57を取り外すことなく、図４に矢示するように、キャップ本体57の周壁57aとベース51の周壁52との間の隙間や、ベース51の周壁52とエアゾール容器1の肩部1aとの間の隙間から逃がせるが、ガス量が多い場合等では、ベース51からキャップ本体57を取り外したり、別途ガス抜き孔、溝等を設けてもよい。
【００２１】
本発明によれば、製品出荷時にオーバーキャップ5を取り付けるだけでガス抜きの準備が完了し、オーバーキャップ5を取り外して再度装着すれば、そのまま押圧ヘッド4を押し下げることができる。従って、使用者は手を汚すことなく、オーバーキャップ5を着脱するだけの簡単な作業でガス抜きをすることができる。
【００２２】
また、ベース51は、マウントカップ2の係合部2aに着脱可能に係止されるものであるが、ベース51をエアゾール容器1に着脱可能に装着方法はこれによらない。但し、係止部55を係合部2a外側に係止させることにより、ベース51の着脱が可能となるのであれば、エアゾール容器1の外観形状に変更を加える必要がないため、既存のエアゾール容器1に使用できて汎用性が高い。
【００２３】
キャップ本体57は、ベース51の周壁52に圧入装着されているが、凹凸によるアンダーカット嵌合や螺合等であってよい。
【００２４】
上述したところは、本発明の好適な形態であるが、請求の範囲内で様々な変更を加えることができる。例えば、ベース51は、ガス抜きするために単独で使用することも可能である。押圧ヘッド4の形態は、上述したような押しボタンタイプに限らず、噴射口4aがエアゾール容器の長手方向軸線に並行に取り付けられるスパウトタイプであってもよい。従って、内容物の噴射形態も、霧状・泡状等を問わない。
【図面の簡単な説明】
【００２５】
【図１】本発明の一形態であるオーバーキャップをエアゾール容器と共に示す分解図である。
【図２】同形態のオーバーキャップをエアゾール容器に装着した状態を一部断面で示す側面図である。
【図３】同形態のオーバーキャップをエアゾール容器から取り外した状態を一部断面で示す側面図である。
【図４】同形態のオーバーキャップをエアゾール容器に再度装着した状態を一部断面で示す側面図である。
【符号の説明】
【００２６】
１  エアゾール容器
２  マウントカップ
2a  係合部
３  ステム
４  押圧ヘッド
4b  環状のリブ
５  オーバーキャップ
51  ベース
53  貫通孔
55  環状の係止部
56  舌片
57  キャップ本体
【図１】
0004785545.tif 000002
【図２】
0004785545.tif 000003
【図３】
0004785545.tif 000004
【図４】
0004785545.tif 000005